(57)【要約】【課題】  第１の情報に重畳されて第２の情報（著作権保護情報）が記録されるディスク状記録媒体について、マスタリング工程の効率向上を図ると共に、再生時には上記第２の情報の読み取りを安定なものとする。【解決手段】  ディスク原盤に対して第１のレーザ光線を照射してピット列を形成することによって、第１の情報についての記録を行うと共に、上記ピット列のディスク原盤半径方向にずれた位置に、第２のレーザ光線を集光して照射することにより、上記第１の情報と共に第２の情報を多重記録する。これにより、従来のように第２の情報をピットのウォブルにより記録するための電気音響光学素子（光偏向器）は不要となり、ディスク原盤への露光時間を短縮して製造効率の向上が図られる。また、再生時においては、第２のレーザ光に基づいて記録された信号を複数回読み取って積分した結果に基づき、その値を判定することで、このような第２の情報の読み取りの安定化を図る。【選択図】  図１
2005174465.tif 000002
【特許請求の範囲】
【請求項１】
ディスク原盤に対して第１のレーザ光線を照射してピット列を形成することによって、第１のディジタル情報についての記録を行う第１の記録手段と、
上記第１のレーザ光線により形成される上記ピット列の、ディスク原盤半径方向にずれた位置に第２のレーザ光線を集光して照射することにより、上記第１のディジタル情報と共に第２のディジタル情報を多重記録する第２の記録手段と、
を備えることを特徴とするマスタリング装置。
【請求項２】
さらに、所要のフォーマットに従って上記第１のディジタル情報を変調することにより、第１の変調信号を生成する第１の信号生成手段と、
上記第１の変調信号に含まれる同期信号からの相対位置に応じて、同一の同期信号の単位区間内に上記第２のディジタル情報を構成する複数のビットを割り振るビット選択手段とを備えると共に、
上記第１の記録手段は、上記第１のディジタル情報として、上記第１の信号生成手段により生成された第１の変調信号を記録すると共に、
上記第２の記録手段は、上記ビット選択手段の出力に応じて上記第２のレーザ光線を照射することにより、上記第２のディジタル情報を多重記録するように構成される、
ことを特徴とする請求項１に記載のマスタリング装置。
【請求項３】
ディスク原盤に対して第１のレーザ光線を照射してピット列を形成することによって、第１のディジタル情報についての記録を行う第１の記録手順と、
上記ピット列のディスク原盤半径方向にずれた位置に、第２のレーザ光線を集光して照射することにより、上記第１のディジタル情報と共に第２のディジタル情報を多重記録する第２の記録手順と、
を実行することを特徴とするディスク製造方法。
【請求項４】
上記第１の記録手順では、
所要のフォーマットに従って上記第１のディジタル情報を変調することにより、第１の変調信号を生成する第１の信号生成手順をさらに実行して、この第１の変調信号を上記第１のディジタル情報として記録すると共に、
上記第２の記録手順では、
上記第１の変調信号に含まれる同期信号からの相対位置に応じて、同一の同期信号の単位区間内に上記第２のディジタル情報を構成する複数のビットを割り振るビット選択手順をさらに実行し、このビット選択手順により割り振ったビットの値に応じて上記第２のレーザ光線を照射することにより、上記第２のディジタル情報を多重記録するようにされる、
ことを特徴とする請求項３に記載のディスク製造方法。
【請求項５】
所要のフォーマットに従って第１のディジタル情報が変調されることにより生成された第１の変調信号が、ピットの長さ及び間隔により記録されているディスク状記録媒体であって、
上記ピットの一方の壁面位置だけが、トラック長手方向とは直交する方向に変位されることにより、第２のディジタル情報が上記第１のディジタル情報と共に多重記録されているディスク状記録媒体。
【請求項６】
上記第１の変調信号に含まれる同期信号からの相対位置に応じて、同一の同期信号の単位区間内に上記第２のディジタル情報を構成する複数のビットが割り振られ、割り振られたビットの値に応じて上記ピット壁面位置の変位が行われていることを特徴とする請求項５に記載のディスク状記録媒体。
【請求項７】
上記ピット壁面位置の変位量は、５ｎｍ以下であることを特徴とする請求項５に記載のディスク状記録媒体。
【請求項８】
上記第１のディジタル情報は、上記第２のディジタル情報を鍵情報として暗号化されていることを特徴とする請求項５に記載のディスク状記録媒体。
【請求項９】
上記同期信号は複数種存在すると共に、上記第１の変調信号には、これら複数種の同期信号がそれぞれ周期的に挿入されていて、これら異なる同期信号のそれぞれに対して、上記第２のディジタル情報を構成する複数のビットが割り振られている、
ことを特徴とする請求項５に記載のディスク状記録媒体。
【請求項１０】
第１のディジタル情報が所要のフォーマットに従って変調されて、ディスク状記録媒体に対してピットの長さ及び間隔として記録された第１の変調信号を得る第１の読取手段と、
上記ピットの一方の壁面位置の、ディスク半径方向への変位により、上記第１の変調信号と共に多重記録された第２のディジタル情報を読み取る第２の読取手段と、
上記第１の読取手段により読み取られた上記第１の変調信号に含まれる同期信号からの相対位置に応じて、上記第２の読取手段により読み取られた上記第２のディジタル情報の積分を行う複数の信号積分手段と、
上記複数の信号積分手段の出力を判定することにより、上記第２のディジタル情報の複数のビットを復号する判定手段とを備える、
ことを特徴とするディスク再生装置。
【請求項１１】
第１のディジタル情報が所要のフォーマットに従って変調されて、ディスク状記録媒体に対してピットの長さ及び間隔として記録された第１の変調信号を得る第１の読取手順と、
上記ピットの一方の壁面位置の、ディスク半径方向への変位により、上記第１の変調信号と共に多重記録された第２のディジタル情報を読み取る第２の読取手順と、
上記第１の読取手順により読み取られた上記第１の変調信号に含まれる同期信号からの相対位置に応じて、上記第２の読取手順により読み取られた上記第２のディジタル情報の積分を行う複数の信号積分手順と、
上記複数の信号積分手順の出力を判定することにより、上記第２のディジタル情報の複数のビットを復号する判定手順と、
を実行することを特徴とするディスク再生方法。
【請求項１２】
上記信号積分手順では、少なくとも６４回以上上記第２のディジタル情報を構成する各ビットについての積分を行う請求項１１に記載のディスク再生方法。
【発明の詳細な説明】
【技術分野】
【０００１】
本発明は、例えばＣＤ（Compact Disc）やＤＶＤ（Digital Versatile Disc）等のディスク状記録媒体についてのマスタリングを行うマスタリング装置、及びこのようなマスタリングを行ってＣＤやＤＶＤ等のディスク状記録媒体の製造を行うディスク製造方法に関する。また、このようなＣＤやＤＶＤ等のディスク状記録媒体、及びこのディスク状記録媒体についての再生を行うディスク再生装置に関する。
【背景技術】
【０００２】
【特許文献１】特開平９−８１９３８号公報
【特許文献２】特開平１１−６６７３９号公報
【特許文献３】特開２０００−２４２９２９号公報
【特許文献４】特開２００２−１９７６７１号公報
【特許文献５】特開２０００−１９５０４９号公報
【０００３】
例えば、コンパクトディスク（ＣＤ）においては、オーディオ信号及びＴＯＣ（Table Of Contents）等のユーザによって利用される信号が記録される領域よリも内周側の部分に、ＩＦＰＩ（International Federation of the Phonographic Industry）コードと呼ばれる領域が記録されたものがある。このコードには、いわゆる海賊版等の不正コピー防止等の目的でメーカーや製造所、ディスク番号等を示す符号が刻印されている。
【０００４】
このようにして記録されるメーカー、製造所、ディスク番号等を示す符号は、目視によって認識できるものであった。このため、ＣＤ等を再生するにあたり、再生装置側ではこれらの符号を読み取ることができなかった。
つまり、このようなＩＦＰＩコードによっては、その内容を再生装置の動作制御に反映させることができない。また、これと共にＩＦＰＩコードは上記のように目視によりその内容が確認可能なために、符号そのものも簡単にコピーされてしまうという問題点があった。
【０００５】
一方で、従来では、ユーザが手軽にＣＤやＤＶＤ等の複製を作ることが可能な追記型の光ディスクも市販されている。例えばＣＤ−Ｒ（Recordable）として市販されているディスクとこれに対応する装置を用いれば、簡単な操作でＣＤに記録されているディジタル情報をそのままコピーすることが可能となっている。
このような現状では、著作権法で守られるべき著作権を侵害してコピーが行われる場合があり、著作権者が正当に得られるべき報酬が得られないという問題も発生している。
【０００６】
そこで、従来より、このような問題を解決する技術として、例えばオーディオ信号等ユーザが使用する情報を第１の情報としたとき、この第１の情報に対して、著作権保護等の情報としての第２の情報を重畳記録するということが行われている。
このような技術として、従来では、例えば多数の情報ピットの一部を、その中心線が半径方向に変位するように配置し、これらを情報トラック上に記録信号のデータブロック単位で周期的、間欠的に複数配置するようにした光ディスクが提案されている。
【０００７】
また、他の例として、ディスクの特定の半径領域内の一部において、トラッキング誤差信号帯域内で検出可能な信号変動を生じるトラック長さに渡って、情報ピット列をその中心線上からトラック半径方向に変位させた変位ピット列を形成するようにした不正複写防止機能付き光ディスクが提案されている（例えば特許文献１参照）。
【０００８】
さらに、従来では、主情報である第１情報と、この第１情報を再生するための制御情報に係わる第２情報とが記録される光記録担体において、上記第２情報に基づいて上記第１情報を再生したとき、復号化された上記第１情報には直接含まれない形態であるが、第２情報に関連させた形で上記第１及び第２情報とは別な第３の情報を記録した光記録担体が提案されている（特許文献２参照）。
【０００９】
また、他の例として、所定の基本周期に対応する長さの整数倍の長さにより、順次ピットおよびランドを繰り返して第１のデータが記録されたデータ記録媒体であって、上記ピットのトラック方向と交差する方向におけるトラックセンターからの変位により、第２のデータが記録されると共に、上記変位がオフトラックしない範囲の所定量以内であるようにしたデータ記録媒体が提案されている（特許文献３参照）。
【００１０】
また、さらに従来では、記録トラックが連続したランド又はグルーブからなり、主データに基づいて上記記録トラック上にピットを形成することによって、上記主データを記録する記録媒体において、上記記録トラック上の所定距離離れた位置に形成されるピットを、付加データに基づいて上記記録トラックのトラック方向の中心線に対して直交する方向に所定量変位することによって、上記付加データを記録した光記録媒体が提案されている（特許文献４参照）。
なお、この特許文献４に示される発明では、上記変位量が２０ｎｍ〜１００ｎｍの範囲にあることが記載されている（文献中請求項５参照）。
【００１１】
上記列挙したような先行技術によれば、ピットの横方向変位（ウォブル）により第２の情報が記録されるものとなる。このようなウォブルによる情報記録は、光ディスクの原盤を露光するマスタリング装置においてのみ実現可能な技術である。
すなわち、ウォブルにより記録された情報は、ＣＤ−Ｒのような追記型の装置においては記録することができない。そして、このことから、例えばウォブルによる情報を原盤に記録しておき、再生時にその存否をチェックすれば、ＣＤ−Ｒ等に代表される追記型の装置によりコピーされた不当なディスクを排除することが可能となる。
【００１２】
しかしながら、上記した先行技術では、ウォブルにより記録された情報を確実に検出することが可能となるように、充分に大きな幅によりウォブルを行わなければならないという問題点があった。これは、ウォブルを検出する信号の信号対雑音比（ＳＮＲ）の悪化を防止するためである。
【００１３】
例えば、先の特許文献４に記載の従来技術においては、ウォブル量が２０ｎｍ〜１００ｎｍとされているように、比較的大きなウォブル量でディスクを作成する必要があった。このような大きな変位では、電子顕微鏡等を用いて観察することによりウォブルの存在が確認されてしまう。このためウォブルの内容が解析されて、不正なコピーが可能になる危険性が大きいという問題があった。
【００１４】
ところで、一般に上記のようにＳＮＲが悪い場合に採られる手法としては、ウォブル領域としてのピット列を長くして、ローパスフィルターでノイズを除去することが考えられる。しかしながらこの際、実際の光ディスク再生装置では、トラッキングサーボが光スポットの位置をウォブル中心に合わせるように設計されている。このため、上記のようにウォブル領域を長くしたときには、スポットの移動に伴って次第にウォブル検出信号の振幅が低下して、光スポットが移動を完了した位置ではウォブル検出信号の振幅がほぼ得られない状態となってしまう。
従ってこのようにトラッキングサーボの作用を考えると、単純にウォブル領域を長くする手法は有効に作動しないこととなる。このために、先に例示した従来技術を適用する場合は、ウォブル振幅を大きめにしなければならなかったものである。
【００１５】
そこで、先に本出願人はさらなる改良案を提案している。つまり、トラックに沿った方向のピットの長さと間隔とにより主のデータが記録され、トラックのトラックセンターを基準にした内外周方向への前記ピットの変位により、副のデータが記録された光ディスクとして、前記副のデータと所定の２進数系列との演算処理結果に対応して、前記ピットが変位するように構成したものである（特許文献５参照）。
【００１６】
この発明を適用する光ディスクにおいては、ウォブルにより記録された情報を検出する際に、所定の２進数系列を用いて積分検出するようにされる。そして、この発明においては、著作権保護情報の１ビットが、例えばＣＤにおける１フレームに割り当てられて記録される。１フレームはディスク上の長さで１２ｍｍに相当する長さであり、このように長い区間の再生信号を積分検出することにより、比較的小さな振幅として記録したウォブルでも充分に検出を行うことが可能となる。
【００１７】
この結果、この特許文献５に示される先行技術によっては、ピットのウォブル量を大幅に小さくすることが可能となり、先に例示した先行技術の欠点を補って実用的な著作権保護を実現することが可能となっている。
【発明の開示】
【発明が解決しようとする課題】
【００１８】
ところで、これまでに説明した従来例においては、いずれもピットをウォブルさせることで、例えば著作権保護情報等の第２の情報を記録するようにしているものである。そして、このように第２の情報をウォブルにより記録する場合、光偏向器としての電気音響光学素子（AOD: Acoustic Optical Deflector）を光路中に挿入する必要がある。
【００１９】
しかしながら、このような電気音響光学素子が光路に挿入される場合、通過後のレーザ光量は通過前の光量と比較してほぼ半減してしまうということが問題となる。
また、このような電気音響光学素子（光偏向器）は、ウォブル信号に対する応答速度が遅く、高速でウォブル信号を変調することは実質的に不可能となってしまう。
【００２０】
これらの問題点から、先の従来技術を実現しようとすると、カッティングの際にディスク原盤の回転数を低く設定しなければならず、これによってカッティング工程に比較的長時間を要するようになり、ディスク製造の効率向上が図られないものとなっていた。
【課題を解決するための手段】
【００２１】
そこで、本発明では上記のような問題点を解決すべく、例えば不正コピー防止のための著作権保護情報等を多重記録する際に、レーザ光減衰の原因となる光偏向器としての電気音響光学素子の使用を不要とすると共に、このように多重記録される著作権保護情報等を確実に読み取ることができるようにすることを目的とする。
【００２２】
そして、このために本発明では、先ずマスタリング装置として以下のように構成することとした。
すなわち、先ず、ディスク原盤に対して第１のレーザ光線を照射してピット列を形成することによって、第１のディジタル情報についての記録を行う第１の記録手段を備える。
その上で、上記第１のレーザ光線により形成される上記ピット列の、ディスク原盤半径方向にずれた位置に第２のレーザ光線を集光して照射することにより、上記第１のディジタル情報と共に第２のディジタル情報を多重記録する第２の記録手段を備えるようにした。
【００２３】
また、本発明では、ディスク製造方法として以下のようにもすることとした。
つまり、ディスク原盤に対して第１のレーザ光線を照射してピット列を形成することによって、第１のディジタル情報についての記録を行う第１の記録手順と、上記ピット列のディスク原盤半径方向にずれた位置に、第２のレーザ光線を集光して照射することにより、上記第１のディジタル情報と共に第２のディジタル情報を多重記録する第２の記録手順とを実行することとした。
【００２４】
さらに本発明では、ディスク状記録媒体として以下のようにすることとした。
すなわち、本発明のディスク状記録媒体は、所要のフォーマットに従って第１のディジタル情報が変調されることにより生成された第１の変調信号が、ピットの長さ及び間隔により記録されているディスク状記録媒体であって、
上記ピットの一方の壁面位置だけが、トラック長手方向とは直交する方向に変位されることにより、第２のディジタル情報が上記第１のディジタル情報と共に多重記録されているものである。
【００２５】
また、さらに本発明では、ディスク再生装置として以下のように構成することとした。
つまり、先ず、第１のディジタル情報が所要のフォーマットに従って変調されて、ディスク状記録媒体に対してピットの長さ及び間隔として記録された第１の変調信号を得る第１の読取手段を備える。
そして、上記ピットの一方の壁面位置の、ディスク半径方向への変位により、上記第１の変調信号と共に多重記録された第２のディジタル情報を読み取る第２の読取手段を備える。
その上で、上記第１の読取手段により読み取られた上記第１の変調信号に含まれる同期信号からの相対位置に応じて、上記第２の読取手段により読み取られた上記第２のディジタル情報の積分を行う複数の信号積分手段と、上記複数の信号積分手段の出力を判定することにより、上記第２のディジタル情報の複数のビットを復号する判定手段とを備えるようにした。
【００２６】
また、本発明では、ディスク再生方法として以下のようにすることとした。
すなわち、第１のディジタル情報が所要のフォーマットに従って変調されて、ディスク状記録媒体に対してピットの長さ及び間隔として記録された第１の変調信号を得る第１の読取手順と、上記ピットの一方の壁面位置の、ディスク半径方向への変位により、上記第１の変調信号と共に多重記録された第２のディジタル情報を読み取る第２の読取手順とを実行する。
その上で、上記第１の読取手順により読み取られた上記第１の変調信号に含まれる同期信号からの相対位置に応じて、上記第２の読取手順により読み取られた上記第２のディジタル情報の積分を行う複数の信号積分手順と、上記複数の信号積分手順の出力を判定することにより、上記第２のディジタル情報の複数のビットを復号する判定手順とを実行するようにした。
【００２７】
上記本発明によれば、上記第２のディジタル情報は、ディスク状記録媒体に対して、第１の変調信号として記録されるピット列を形成するレーザとは別個のレーザを用い、ピット列の片方の壁面位置をディスク半径方向にシフトさせることにより記録される。
これにより、第２のディジタル情報の記録にあたり、従来のように第１の変調信号を形成するためのレーザ光を偏向させてウォブルさせるための、光偏向器としての電気音響光学素子を光路中に挿入する必要がなくなる。
【００２８】
また、上記した本発明のディスク再生装置とその方法によれば、上記第２のディジタル信号を構成する各ビットの値は、再生時において積分が行われた上で判定されるから、第２のディジタル信号を安定して読み取ることが可能となると同時に、これら第２のディジタル情報を比較的微少な壁位置変位によりディスク状記録媒体に対して記録することが可能となる。
【発明の効果】
【００２９】
このように本発明では、第２のディジタル情報（著作権保護情報）を第１のディジタル情報と共に多重記録するにあたり、電気音響光学素子による光偏向器を記録光学系に挿入する必要がなくなるので、ディスク原盤を高速回転させながら露光することが可能となる。
これによっては、ディスク原盤に対する露光時間を早めて、ディスク状記録媒体の製造効率を向上することが可能となる。
【００３０】
また、上述のように本発明のディスク再生装置とその方法によれば、第２のディジタル信号を安定して読み取ることができると共に、比較的微少な壁面変位によりディスク状記録媒体上に記録することが可能となる。
そして、このように第２のディジタル信号を比較的微少な壁面変位により記録することが可能となることで、例えばＣＤ−Ｒ等の追記型の装置では、このような本発明のディスク状記録媒体に記録された第１のディジタル情報はコピーできたとしても、第２のディジタル情報までは記録されないようにすることができる。つまり、不正コピー（海賊版）ディスクの作成を困難とすることができるものである。
さらに、この場合、上記のように壁面の変位を微少なものとすることができれば、電子顕微鏡などの手段を使っての第２のディジタル情報の解析を困難とすることができ、これによっても不正コピーディスクの作成を困難なものとすることができる。
【００３１】
つまり、このような本発明によれば、第２のディジタル情報としての著作権保護情報を多重記録するディスク状記録媒体について、その製造効率の向上を図ると共に、強固な著作権保護機能を与えることができる。
そして、その上で、このように記録された第２のディジタル情報を安定して読み取ることも可能となるものである。
【発明を実施するための最良の形態】
【００３２】
以下、発明を実施するための最良の形態（以下、実施の形態とする）について説明していく。
実施の形態のディスク状記録媒体は、例えばＣＤ（Compact Disc）やＤＶＤ（Digital Versatile Disc）と呼ばれるディスクや、近年開発されている高密度ディスク（ブルーレイディスク）などとして実現されるものである。
具体的には、直径１２ｃｍの光ディスクであって、波長４０５ｎｍのレーザ（いわゆる青色レーザ）とＮＡが０．８５の対物レンズの組み合わせという条件下で、例えばλ／４程度の深さのエンボスピットにより再生専用のデータが記録される。そして、トラックピッチ０．３２μｍ、線密度０．１２μｍ／bitで記録再生を行うものである。
【００３３】
上記のようなディスクを製造する際のプロセスとしては、大別すると、いわゆる原盤工程（マスタリングプロセス）と、ディスク化工程（レプリケーションプロセス）に分けられる。原盤工程はディスク化工程で用いる金属原盤（スタンパー）を完成するまでのプロセスであり、ディスク化工程はスタンパーを用いて、その複製である光ディスクを大量生産するプロセスである。
【００３４】
具体的には、原盤工程は、研磨した硝子基板にフォトレジストを塗布し、この感光膜にレーザビームによる露光によってピットやウォブルを形成する、いわゆるマスタリングを行う。
そしてマスタリングが終了すると、現像等の所定の処理を行った後、例えば電鋳によって金属表面上への情報の転送を行ない、ディスクの複製を行う際に必要なスタンパーを作成する。
次に、このスタンパーを用いて例えばインジェクション法等によって、樹脂基板上に情報を転写し、その上に反射膜を生成した後、必要なディスク形態に加工する等の処理を行って最終製品を完成する。
【００３５】
図１は、上記のようなディスク製造工程における原盤工程（マスタリング）を行う、本実施の形態としてのマスタリング装置１の内部構成例を示すブロック図である。
この図において、先ずディスク原盤１５は、図示するスピンドルモータ１４により回転駆動される。このスピンドルモータ１４は、スピンドルサーボ回路１３により回転が制御され、採用される回転制御方式に対応した回転速度により駆動するように制御される。
【００３６】
上記ディスク原盤１５に対して記録される音楽及び／又は映像等のディジタル情報は、第１情報ＳＡとして図示する第１信号源２から供給される。
また、この第１情報ＳＡの他に、本実施の形態ではいわゆる海賊版等の不正コピーを防止するための情報として、第２情報ＳＢを図示する第２信号源６から供給するようにしている。
この第２情報ＳＢは、例えばディスク原盤１５ごとに固有となるようにして設定されたＩＤ情報、製造工場に係る情報、製造年月日、及びコピー可／不可を制御するための情報等から構成されるディジタル情報とされる。
【００３７】
そして、本実施の形態では、次に説明する暗号化回路３により、この第２情報ＳＢを鍵情報として上記第１情報ＳＡを暗号化して記録するものとされる。つまり、これにより、この第２情報ＳＢを用いて不正コピーの防止を図るようにしているものである。
なお、本実施の形態では説明の複雑化を避けるために、以下では上記第２情報ＳＢが３２ビットのデータにより構成されて成る場合を例に挙げるが、実際には、さらにビット数を増加させることにより、解読を複雑化して不正コピーをより困難にすることが可能である。
【００３８】
暗号化回路３は、上記第２信号源６より第２情報ＳＢとして供給される３２ビットのデータを鍵情報として、上記第１信号源２より供給される第１情報ＳＡを暗号化する。例えば、この暗号化の手法としてはＤＥＳ（Data Encryption Standard）等の任意の暗号化手法が採用されればよい。
【００３９】
ＥＣＣ（Error Correcting Code）回路４は、上記暗号化回路３の出力に対して誤り訂正符号を付加すると共に、このように誤り訂正符号が付加されたデータに対してインターリーブ処理を施す。これにより、ディスク原盤１５に基づいて作成されたディスク上にディフェクトや欠落が生じた場合にも、確実にデータを再生することが可能となるようにされている。
【００４０】
１−７ＰＰ変調回路５は、上記ＥＣＣ回路４からの入力データについて、ＲＬＬ（１、７）ＰＰ変調方式（ＲＬＬ：Run Length Limited／Parity preserve Prohibit rmtr(repeated minimum transition run-length)）による変調処理を行う。
この１−７ＰＰ変調回路５によっては、所定の周期の整数倍の周期でレベル１とレベル０が変化するようなピット変調信号ＳＤが生成される。このとき、ピット変調信号ＳＤは直流成分が抑圧されていると共に、周期的に同期パターンが挿入されるものとなる。
【００４１】
付加変調回路７は、ＲＬＬ（１−７）ＰＰ変調が施されたピット変調信号ＳＤから同期パターンを検出してタイミング同期を行うことで、第２情報ＳＢをピット壁変位信号ＳＢＷに変換するように構成される。そして、このようにして得られたピット壁変位信号ＳＢＷを図示するように第２レーザ８に対して出力することにより、第１情報ＳＡと第２情報ＳＢを同時に、ディスク原盤１５に記録する。
なお、この付加変調回路７の内部構成については後述する。
【００４２】
第１レーザ９は、例えばガスレーザ等から成り、レーザビームＬ０を光変調器１０に対して射出する。光変調器１０は、電気音響変調素子（Acoustic Optical Modulator）等により構成され、上記した１−７ＰＰ変調回路５より供給されるピット変調信号ＳＤのレベルに応じて、レーザビームＬ０を高速にオン／オフしてレーザビームＬ１として出力する。
そして、このレーザビームＬ１は、図示するミラー１１によりディスク原盤１５の記録面に対して射出する角度に光路が折り曲げられ、対物レンズ１２及びハーフミラー１６を透過してディスク原盤１５の記録面上に集光するようにされている。
【００４３】
第２レーザ８は、例えば半導体レーザ等から成り、付加変調回路７から供給されるピット壁変位信号ＳＢＷがレベル１の場合にレーザビームＬ２を射出するようにされる。逆に、ピット壁変位信号ＳＢＷがレベル０の場合にはレーザビームＬ２を照射しないようにされる。
この第２レーザ８より照射されるピット壁変位信号ＳＢＷに応じたレーザビームＬ２は、ハーフミラー１６によりレーザビームＬ１と混合され、対物レンズ１２によってディスク原盤１５の表面上に集光される。
【００４４】
また、上記ミラー１１、ハーフミラー１６及び対物レンズ１２は、図示しないスレッド機構によりディスク原盤１５の回転に同期してディスク半径方向に順次移動するように構成される。
つまり、上記レーザビームＬ１及びレーザビームＬ２の集光位置は、ディスク原盤１５の例えば外周方向に順次変移するようにされており、これによりディスク原盤１５に対しては、渦巻き状にトラック（ピット列）が形成される。
【００４５】
ここで、上記した第１レーザ９が照射するレーザビームＬ１の強度としては、第２レーザ８により照射するレーザビームＬ２よりも高く設定されている。従って、ディスク原盤１５に形成されるピット列の長さ及び間隔は、より強度の高いレーザビームＬ１により決定される。これによって、ピット列の長さ及び間隔は、ピット変調信号ＳＤに応じたものとすることができる。
【００４６】
また、この場合、第２レーザ８により照射するレーザビームＬ２のディスク原盤１５上の照射位置としては、レーザビームＬ１の照射位置よりも、その中心位置がトラックと直交する方向にずれるようにしている。
このことを次の図２に示すと、この場合、レーザビームＬ１がディスク原盤１５上に形成する光スポット（スポット１とする）に対して、レーザビームＬ２がディスク原盤１５上に形成する光スポット（スポット２）の位置は、図中下方向に微少にずれているものである。
【００４７】
この結果、レーザビームＬ２が照射されている場合（ピット壁変位信号ＳＢＷがレベル１の場合）においては、ピットの下側壁面の位置が変位する。例えば、上記図２の場合、ＳＢＷ＝１のときに記録される３つのピット（図中Ｐ１，Ｐ２，Ｐ３）としては、下側の壁面位置がΔだけ下方向に変位するものとなる。
このように、ピット壁変位信号ＳＢＷに応じてピット壁面位置が変位したピット列が、ディスク原盤１５上に記録される。つまりピット列の長さ及び間隔が、第１情報ＳＡをあらわし、ピット下側の壁面位置差が第２情報ＳＢを反映している。
【００４８】
図１において、上記した第１レーザ９、第２レーザ８により照射したレーザ光により露光が行われたディスク原盤１５は、上述もしたように現像されメッキが施されることによりスタンパーとして生成される。そして、このスタンパーを用いて樹脂基板上に情報を転写し、その上に反射膜を生成した後に必要なディスク形態に加工する等の処理を行うことで、本実施の形態としてのディスク１００が生成されるものとなる。
【００４９】
図３には、図１に示した付加変調回路７の内部構成例を示す。
先ず、この図３において、ピット変調信号ＳＤは、図１に示した１−７ＰＰ変調回路５より出力される信号であり、図示するようにこのピット変調信号ＳＤはこの付加変調回路７内における同期パターン（ＦＳ）検出回路２０に対して入力される。
つまり、この同期パターン検出回路２０に対しては、ＲＬＬ（１−７）ＰＰ変調処理の施された第１情報ＳＡが入力されるものである。
【００５０】
ここで、ＲＬＬ（１−７）ＰＰ変調処理が施され、上記したディスク原盤１５（ディスク１００）に対して記録される信号としては、例えば次の図４に示すような構成とされる。
【００５１】
図４は、本実施の形態においてディスク１００（ディスク原盤１５）上に記録される信号の構成を模式的に説明する図である。この図に示すように、上記ディスク１００に対してはスパイラル、あるいは同心円上にピット列が記録されるものとなる。そして、ここに記録されるピット列としては、図４（ａ）に示すように、所定の長さのブロックと呼ばれる単位で区分けが行われている。各ブロックには誤り訂正符号とアドレス情報が付加されていて、独立してデータを読み取ることのできる最小単位となっている。
【００５２】
そして、各ブロックは、図４（ｂ）に示すように「Ｆｒａｍｅ０」から「Ｆｒａｍｅ５」と名付けられた６つのフレームに分割されている。図４（ｃ）に示すように、これら各フレームの先頭にはそれぞれ異なる同期パターンが付加されていて、これらの同期パターンの種類によりフレーム番号が判るようになっている。さらに、この図４（ｃ）にも示されるように、それぞれの同期パターンの後には、２２０バイト分のデータが続くように構成されている。
【００５３】
上記のような同期パターンとしては、例えば特開２０００−６８８４６号公報に記載されているような３０ビット長のパターンを用いることとしている。
この同期パターンの例としては、次の図５に示すように、例えば６つの異なるフレーム（図中ＦＳ０〜ＦＳ５）に対してそれぞれ異なる同期パターンを使用する。この図５に示す例では、同期パターンを形成する上記３０ビット長のうち、始めの２４ビットがシンクボディ（sync body）とされる固定のパターンを割り当てられている。すなわち、図中「♯」で示したビットは直前のビットの値に応じて決定された上で、「０１０」の反転に続けて９Ｔ−９Ｔの反転間隔が続く固定パターンを割り当てることにより、シンク検出を可能としている。
さらに、これに続けて、それぞれ異なる６ビットのシンクＩＤ（sync ID）を割り当てるようにし、このシンクＩＤによりＦＳ０〜ＦＳ５の各フレームを識別可能としている。
【００５４】
図３において、同期パターン検出回路２０は、ピット変調信号ＳＤに含まれる上記のような６種類の同期パターン（ＦＳ０〜ＦＳ５）を検出し、図示するようにこれらをフレーム番号情報ＦＮとしてラッチ（Ｌａｔｃｈ）２１に保持させる。
また、この同期パターン検出回路２０は同期パターンが検出されたタイミングでリセットパルスＲＳをアクティブにして、第１カウンタ２２及び第２カウンタ２３のカウントをリセットする。これにより、これら第１カウンタ２２と第２カウンタ２３は、同期パターン検出の直後で共にカウント値が「０」にリセットされ、順次その値を増加させていくようにされている。
【００５５】
上記第２カウンタ２３は、カウント値「０」からスタートしてチャネルクロック単位で値を増加させていき、カウント値が予め定められた所定値となるのに応じて再びカウント値が「０」となるように動作する。この場合、上記所定値としては「１６４」が設定され、この第２カウンタ２３は１６５進のカウンタとされている。
一方、第１カウンタ２２は、上記第２カウンタ２３のカウント値がオーバーフローして「０」に戻るごとに一つだけカウントアップするように構成されている。
この結果、図示する第１カウンター２２の出力ＰＮは、同期パターンの直後に「０」にリセットされ、その後は１６５クロックごとにその値が１ずつインクリメントされるものとなる。
【００５６】
参照テーブル２４は、例えばＲＯＭ（Read Only Memory）等のメモリー素子を備えて構成される。この参照テーブル２４の備える上記ＲＯＭ内には、図示するラッチ２１より供給されるフレーム番号情報ＦＮと、第１カウンター２２の出力ＰＮの値に応じて所定のセレクト信号ＳＬＣＴを出力するための、参照情報２４ａが記憶されている。
そして、この参照テーブル２４は、上記フレーム番号情報ＦＮと上記出力ＰＮとを元にこの参照情報２４ａを参照して出力したセレクト信号ＳＬＣＴを、図示するアナログスイッチ２８に対して出力するようにされる。
なお、この参照テーブル２４に格納される上記参照情報２４ａの構造については後述する。
【００５７】
ＣＲＣ（Cyclic Redundancy Check）付加回路２５に対しては、図１に示した第２情報ＳＢが入力される。このＣＲＣ付加回路２５は、フリップフロップとエクスクルーシブオア等で構成されて、上記入力される第２情報ＳＢに対してＣＲＣ符号を追加する。
この場合、ＣＲＣ付加回路２５では、３２ビットで構成される上記第２情報ＳＢを入力して、１６ビットの誤り検出のためのＣＲＣ符号を追加する。つまり、ここにおいて上記第２情報ＳＢは、合計４８ビットの情報（Ｂ0〜Ｂ47）とされる。
このようにＣＲＣ符号を付加することにより、読み取り時における誤りの検出及びその除去が可能となる。
【００５８】
上記のようにしてＣＲＣ符号が付されて４８ビットとされた著作権保護情報（第２情報ＳＢ）Ｂ0〜Ｂ47は、図のようにシリアル・パラレル（ＳＰ）変換回路２６に入力される。
このシリアル・パラレル変換回路２６は、フリップフロップなどで構成されていて、入力される４８ビットの情報を、１ビット単位で４８本のパラレル出力信号として出力する。そして、この４８本の出力のそれぞれは、図のように対応する非反転アンプ２７Ａ（0〜47）と、反転アンプ２７Ｂ（0〜47）とに分岐して供給される。
【００５９】
上記非反転アンプ２７Ａ（0〜47）は、入力信号の論理に応じて「１」または「０」のレベルを出力するように構成される。
また、これとは逆に、反転アンプ２７Ｂ（0〜47）は、入力信号の論理を反転させた後に出力する。従って反転アンプ２７Ｂ（0〜47）の出力は、入力信号とは反転した論理で、「１」または「０」のレベルを出力するように構成される。
【００６０】
アナログスイッチ２８は、非反転アンプ２７Ａ（0〜47）及び反転アンプ２７Ｂ（0〜47）より入力される信号のうちから、上記した参照テーブル２４から供給されるセレクト信号ＳＬＣＴの値に基づいた１の信号を選択するようにされる。
そして、このように選択した「１」又は「０」レベルの電圧を、ピット壁変位信号ＳＢＷとして出力するようにされる。
【００６１】
上記構成により、この付加変調回路７によっては、次に説明するようにしてピット変調信号ＳＤより検出される同期パターンからの時間経過（相対位置）に応じて、著作権保護情報Ｂ0〜Ｂ47の１ビットが選択されるようになる。またこれと共に、このように選択されたＢ0〜Ｂ47の１ビットに対応しては、ピット壁変位信号ＳＢＷとしての正論理と負論理での２つの出力が得られるようになる。
【００６２】
ここで、上記のように構成されるマスタリング装置１において得られる動作を、次の図６〜図９を参照して説明する。
図６、７は、先の図３に示したアナログスイッチ２８による選択を指定するための、セレクト信号ＳＬＣＴの値の遷移を説明するための図である。なお、これら図６、７では、先の図４において示した１ブロックを形成するＦＳ0〜ＦＳ6の各フレームを模式的に示している。
先ず、本実施の形態では、上述もしたように各フレームに対して２２０バイトのデータを記録するものである。従ってこの場合、同期パターン部分を除くと、これら図６、図７に示すように各フレームには２２０×８＝１７６０ビットの情報を記録することになる。
また、この際、ＲＬＬ（１−７）ＰＰ変調方式では、２ビットのデータを３ビットに変換することから、各フレームの長さは、図のように１７６０×３÷２＝２６４０クロックとなる。
【００６３】
これら図６〜７に示す各フレームの先頭に位置するフレームシンクが入力された場合、図３に示した同期パターン検出回路２０がこのフレームシンクを検出する。この際、上述もしたように本実施の形態では６つの異なるフレーム（ＦＳ０〜ＦＳ５）が存在するものであり、同期パターン検出回路２０では検出されたフレームシンクのシンクＩＤの別が認識される。そして、これに伴い、ラッチ２１からは、このように同期パターン検出回路２０により認識されたフレーム番号情報ＦＮの値が参照テーブル２４に対して出力されるようになる。
【００６４】
また、これと共に、上記のようにフレームシンクが検出されることに応じては、同期パターン検出回路２０よりリセットパルスＲＳも出力され、これに応じ第１カウンタ２２のカウント値は「０」にリセットされる。つまり、この第１カウンタ２２の出力ＰＮの値としては、「０」が参照テーブル２４に対して出力されるようになる。
さらにこの際、上記リセットパルスＲＳに応じては、第２カウンタ２３のカウント値も「０」にリセットされる。そして、この第２カウンタ２３では、先に説明したチャネルクロックに従った１６５進によるカウントが開始される。
【００６５】
そして以降は、第１カウンタ２２が、第２カウンタ２３のカウント値が一巡する（チャネルクロックが１６５回変化する）ごとにカウント値を１ずつインクリメントする。つまり、第１カウンタ２２の出力ＰＮの値は、上記した１フレーム分のクロック「２６４０」のうちの１６５クロックごとに１インクリメントされていくものであり、従ってこの場合、上記出力ＰＮの値は、２６４０÷１６５＝１６により、図示するように０〜１５まで１６通りの値を採ることとなる。
【００６６】
そして、このように０〜１５までの値とされる出力ＰＮと、ラッチ２１から出力されるフレーム番号情報ＦＮとが、参照テーブル２４に入力されることにより、この参照テーブル２４では、これら出力ＰＮとフレーム番号情報ＦＮとに基づいた所定のセレクト信号ＳＬＣＴを出力するようにされる。
これにより、同期パターンが検出された時点からの相対時間に基づいたフレーム内の所定位置に対応させて、第２情報ＳＢを構成する複数のビットを割り振るようにしている。
【００６７】
このようなビットの割り振りの仕方としては、これら図６〜図７に示すようにして、第２情報ＳＢを構成する４８ビットの情報（Ｂ0〜Ｂ47）を、１ブロックを形成する６つのフレーム（ＦＳ0〜ＦＳ5）に対して順番に割り振るようにする。
ここで、これら４８ビットの情報のそれぞれは、図３において説明したように非反転回路２７Ａ、反転回路２７Ｂにより２つの信号出力に変換されることから、１ビットの情報は２つの信号により構成されるものとなる。
このため、上記のように４８ビットの情報をＦＳ0から順番に割り振った場合、先ずフレームＦＳ0に対しては、図のように[Ｂ0A、Ｂ0B・・・Ｂ7A、Ｂ7B]までの１６の信号が割り振られることになる。さらに、続くＦＳ1のフレームに対しては、上記Ｂ7Bに続く[Ｂ8A、Ｂ8B・・・Ｂ15A、Ｂ15B]までの信号が割り振られる。
そして以降は、図６（ｃ）に示すフレームＦＳ2には[Ｂ16A、Ｂ16B・・・Ｂ23A、Ｂ23B]、図７（ａ）に示すフレームＦＳ3には[Ｂ24A、Ｂ24B・・・Ｂ31A、Ｂ31B]、図７（ｂ）に示すフレームＦＳ4には[Ｂ32A、Ｂ32B・・・Ｂ39A、Ｂ39B]、図７（ｃ）に示すフレームＦＳ5には[Ｂ40A、Ｂ40B・・・Ｂ47A、Ｂ47B]が割り振られるようになる。
【００６８】
ここで、先の図４においても説明したように、参照テーブル２４内部には、上記のようにして第２情報ＳＢを構成する複数のビットを各フレーム内の所定位置に割り振ることができるように、参照情報２４ａが記憶される。
このような参照テーブル２４内部に記憶される参照情報２４ａとしては、例えば図８に示すような構造とされる。
【００６９】
図８において、この参照情報２４ａとしては、図示するようにラッチ２１から出力されるフレーム番号情報ＦＮと第１カウンタ２２の出力ＰＮとの組み合わせに対応させて、非反転アンプ２７Ａの出力信号（Ｂ0A〜Ｂ47A）、反転アンプ２７Ｂの出力信号（Ｂ0B〜Ｂ47B）の内の１つの信号を割り当てるものとなる。
そして、先の図６〜図７に示した順に各信号が割り振られるように、フレーム番号情報ＦＮが「０」のとき、出力ＰＮの値「０〜１５」に対応しては、図のように[Ｂ0A、Ｂ0B・・・Ｂ7A、Ｂ7B]の各信号を割り当て、以降もこれに続くようにフレーム番号情報ＦＮの値と出力ＰＮの値に応じて、各信号を順番に割り当てているものである。
これにより、この参照テーブル２４から出力されるセレクト信号ＳＬＣＴの値としては、図６〜図７にも示したように、１６５クロックごとに[Ｂ0A、Ｂ0B・・・Ｂ47A、Ｂ47B]を順次選択していくものとなる。
【００７０】
上記のようにしてセレクト信号ＳＬＣＴの値が遷移することにより、アナログスイッチ２８より出力されるピット壁変位信号ＳＢＷとしては、第２情報ＳＢの値に応じた信号が出力されるようになる。そして、このように出力された信号としてのピット壁変位信号ＳＢＷは、図１にて説明したように第２レーザ８に対して入力され、これに基づいてレーザビームＬ２がオン・オフされる。この結果、ディスク原盤１５に対しては、第２情報ＳＢがピットの片方の壁面位置ずれとして記録されるようになるものである。
【００７１】
図９は、このようにしてピット壁変位信号ＳＢＷに基づいて上記第２情報ＳＢが壁面変位により記録される際の動作を模式的に示す図である。
なお、この図ではフレーム番号情報ＦＮの値が「０」の場合、つまり図９（ａ）にも示すようにフレームＦＳ0内に記録される８ビット分の第２情報ＳＢを例示したものである。
この図において、先ず、第２情報ＳＢの下位のビットＢ0〜Ｂ7の値が、例えば図９（ｄ）に示すものであったと仮定する。この場合、最下位のビット「Ｂ0」の値「０」に応じては、先の図３において説明したように、非反転アンプ２７Ａ−0の出力は「０」、反転アンプ２７Ｂ−0の出力は「１」となる。そして、これにより図９（ｅ）に示すピット壁変位信号ＳＢＷは、図９（ｃ）に示すセレクト信号ＳＬＴＣの値として「Ｂ0A」が選択されている最初の区間において「０」レベルが出力され、次に「Ｂ0B」が選択されている区間において「１」レベルが出力される。
【００７２】
また下位２番目のビット「Ｂ１」の値「１」に応じては、非反転アンプ２７Ａ−1の出力は「１」、反転アンプ２７Ｂ−1の出力は「０」となる。従ってこの場合、上記セレクト信号ＳＬＴＣにより「Ｂ１A」が選択されている区間は「１」のレベルが出力され、また、「Ｂ１B」が選択されている区間においては「０」のレベルが出力されるようになる。
このようにして、図９（ｅ）に示すような電圧の変化がピット壁変位信号ＳＢＷとして出力される。
【００７３】
図９（ｅ）に示すピット壁変位信号ＳＢＷは、上述もしたように図１に示した第２レーザ８に入力される。そして、ピット壁変位信号ＳＢＷに応じてレーザ光線Ｌ２のオンオフが定められる。従ってディスク原盤１５の記録面状に記録されるピットの下側壁面は、トラック長方向とは直交する方向に変位することになる。
【００７４】
図９（ｆ）では、この変位の様子を模式的に示している。例えばセレクト信号ＳＬＣＴ信号により「Ｂ１A」が選択されている区間は、「１」のレベルが出力されるので、光スポット２が点灯する。
上述もしたように、この光スポット２は、第１レーザ９からのレーザ光Ｌ１による光スポット１と比較すると微弱な光量とされているものである。しかしながら、このようなレーザ光Ｌ１と同時に照射されることにより、ピットの下側壁面を照射しているこの光スポット２は、ピットの下側壁面位置を「＋Δ」だけ下側に変位させる。
これにより、この図９（ｆ）にも示されるように、「Ｂ１A」が選択されている区間では、ピットＰ１，Ｐ２，Ｐ３の下側壁面が図中下方向に変位量「Δ」だけ移動することになる。
【００７５】
また、セレクト信号ＳＬＣＴにより「Ｂ１B」が選択されている区間においては、「０」のレベルがピット壁変位信号ＳＢＷとして出力されるので、光スポット２は点灯しない。つまりこの場合はピット下側壁面の変位は行われない。
このことから、この区間において形成されるピット列Ｐ４，Ｐ５，Ｐ６の下側壁面の位置は、シフトされずに通常と同じ場所に形成されるものとなる。
【００７６】
このようにして、ピット列の片方の壁面を微少量シフトさせる、或いはさせないことにより、ディスク原盤１５上、ひいてはディスク１００上に対して、著作権保護情報としての第２情報ＳＢが記録される。
【００７７】
続いては、これまでに説明したマスタリング装置１を用いて製造され、第１情報ＳＡと第２情報ＳＢが重畳記録されたディスク１００を再生する光ディスク再生装置３０について、次の図１０〜図１１を参照して説明する。
図１０は、本発明におけるディスク再生装置が適用される、実施の形態としての光ディスク再生装置３０の内部構成例を示すブロック図である。
図１０において、ディスク１００は、上記マスタリング装置１を用いて製造されたディスク状記録媒体であり、これまでの説明からも理解されるように、第１情報ＳＡと、この第１情報ＳＡとしてのピット列の片方の壁位置変位として、著作権保護情報としての第２情報ＳＢとが記録されている。
このディスク１００は、図示するスピンドルモータ３１によって回転させられる。スピンドルモータ３１および光ピックアップ３２は、サーボ回路３９によって所定の動作をするように制御される。
【００７８】
光ピックアップ３２は、ディスク１００から反射した光線を複数のディテクタで電気信号に変換して出力する。マトリクスアンプ（ＭＡ）３３は、光ピックアップ３２により検出された複数の電気信号にマトリクス演算を施すことにより、トラックエラー信号ＴＫ、フォーカスエラー信号ＦＳ、プッシュプル信号ＰＰ、及び再生信号ＨＦを生成して出力する。
【００７９】
上記トラックエラー信号ＴＫ、及びフォーカスエラー信号ＦＳは、サーボ回路３９に供給され、光ピックアップ３２の焦点位置の制御等に用いられる。また、上記再生信号ＨＦは２値化回路３４に供給されることにより、ピット変調信号ＳＤとして、ディスク１００上に記録された情報の検出に用いられる。
【００８０】
上記プッシュプル信号ＰＰは、バンドパスフィルタ（ＢＰＦ）４０に供給されて低周波及び高周波の不要なノイズ成分が除去された後、第２復号回路４１に供給される。そして、この第２復号回路４１においては、このプッシュプル信号ＰＰに基づいて、上述のようにディスク１００上に壁面変位により記録された第２情報ＳＢが読み出されるのであるが、この第２復号回路４１の内部構成については後述する。
【００８１】
２値化回路３４は、供給される再生信号ＨＦに対して２値化を行って、２値化信号ＢＤを生成する。この２値化信号ＢＤは、１−７ＰＰ復号回路３５，ＰＬＬ回路３８、及び上記した第２復号回路３５に対しても供給される。
【００８２】
１−７ＰＰ復号回路３５は、ＲＬＬ（１−７）ＰＰ変調の逆演算を行って記録された情報を復元し、ＥＣＣ回路３６に供給する。
ＥＣＣ回路３６は、記録時の符号化において付加されたＥＣＣ（Error Correcting Code）に基づいて誤りを訂正する。
また、ＰＬＬ回路３８は、供給される２値化信号ＢＤに基づいて、チャンネルクロックＣＫを生成する。そして、このように生成されたチャンネルクロックＣＫは、図中の各部に供給されて動作クロックとして用いられる。
【００８３】
ＣＲＣ検査回路４２は、上記第２復号回路４１により読み出された４８ビットによる第２情報ＳＢを入力し、図１にて説明したＣＲＣ付加回路２５によりこの第２情報ＳＢに対して付加された符号を元に、誤り検査を行う。
このＣＲＣ検査回路４２において、上記誤り検査により第２情報ＳＢが正しく読み取られていることが判別された場合には、４８ビットの情報（Ｂ0〜Ｂ47）のうち、ＣＲＣ符号（１６ビット）を除いた著作権保護情報としての先頭の３２ビットを暗号化解除回路３７に送出する。
そして、暗号化解除回路３７は、このような第２情報ＳＢを使って記録時に施された暗号化を解除し、第１情報ＳＡを復元して再生出力する。
つまり、これにより、上記第２情報ＳＢとしての著作権保護情報を鍵として暗号化されていた第１情報ＳＡを復号化して、これを通常再生することが可能になるものである。
【００８４】
なお、上記ＣＲＣ検査回路４２において、誤り検査によりエラーが含まれていると判別された場合には、第１情報ＳＡの暗号化を正しく解除することができない。そこで、この場合は、例えば図示しないシステムコントローラに対してこれを通知し、このシステムコントローラにより光ディスク再生装置３０の各部を制御してシステムをリセットして、著作権保護情報Ｂ0〜Ｂ47を再検出する等の対応をとればよい。
【００８５】
図１１は、図１０に示した第２復号回路４１の内部構成例を示すブロック図である。
まず、この図において、図１０に示したバンドパスフィルタ４０から供給されるプッシュプル信号ＰＰは、図示するＡＤコンバータ５１に入力されてディジタル信号に変換される。
【００８６】
また、図１０に示した２値化信号ＢＤは、図示する同期パターン（ＦＳ）検出回路５８に入力されている。この同期パターン検出回路５８は、図３に示した同期検出回路２０と同様の動作を行うものとなる。
すなわち、ＲＬＬ（１−７）ＰＰ変調信号としての上記２値化信号ＢＤに含まれる６種類の同期パターン（ＦＳ0〜ＦＳ5）を検出し、これらをフレーム番号情報ＦＮとしてラッチ５９に保持させる。また、上記のように同期パターンが検出されたタイミングでリセットパルスＲＳをアクティブにして、図示する第１カウンタ６０及び第２カウンタ６１のカウント値をリセットする。
つまりこれにより、この場合も上記第１カウンタ６０と第２カウンタ６１は、同期パターンの直後で「０」の値となり、順次その値が増加していくようにされる。
【００８７】
上記第１カウンタ６０、及び第２カウンタ６１も、図３に示したものと同等の動作を行うものとされる。すなわち、第２カウンタ６１は１６５進のカウンタとされ、第１カウンタ６０は、上記第２カウンタ６１のカウント値が「０」に戻るごとにカウント値を１インクリメントするようにされるものである。
【００８８】
参照テーブル６２も、図３に示したものと同様に、フレーム番号情報ＦＮと第１カウンタ６０の出力ＰＮの値とに応じて予め定められた値を、図示するセレクト信号ＳＬＣＴとして出力する。
そして、この場合も上記セレクト信号ＳＬＣＴは、図示するアナログスイッチ５２に対して入力されるようになっており、これにより、先に図６〜図７において説明した記録時と同等のタイミングで、アナログスイッチ５２に入力される信号（Ｂ0A、Ｂ0B・・・Ｂ47A、Ｂ47B）のうち１つが選択されるものとなる。
なお、この場合の上記参照テーブル６２内に格納される参照情報としても、先の図８に示した参照情報２４ａと同等のものとされる。
【００８９】
これにより、例えば記録時において、３に示したアナログスイッチ２８の「Ｂ0A」の端子が選択されていた領域が再生されているタイミングでは、図示するＡＤコンバータ５１からのプッシュプル信号ＰＰの出力が、上記アナログスイッチ５２の「Ｂ0A」の端子に現れるようになる。
また、同様に、例えば記録時において、「Ｂ0B」が選択されて記録が行われた領域を再生して得られたプッシュプル信号ＰＰは、アナログスイッチ５２の「Ｂ0B」の端子に現れるようになる。
このようにして、このアナログスイッチ５２においては、記録時にピット壁の位置変位に変換された４８ビットの情報が、入力されるプッシュプル信号ＰＰに基づいて得られるようになる。
【００９０】
図示する反転素子５３−0〜５３−47のそれぞれは、上記アナログスイッチ５２におけるＢ0B〜Ｂ47Bの端子に接続され、それぞれ信号極性を反転させて出力するように構成される。
この際、例えば上記プッシュプル信号ＰＰとして入力された第２情報ＳＢの最下位のビットが、「０」であった場合には、上記アナログスイッチ５２の「Ｂ0A」、「Ｂ0B」の各端子に得られる信号としては、先の図９の説明によるとそれぞれ「０」、「＋Δ」の壁面位置に対応したものとなっている。
ここで、プッシュプル信号ＰＰは、バンドパスフィルタ４０により直流成分が除去されているので、実際には「−Δ／２」、「＋Δ／２」の電圧がそれぞれ「Ｂ0A」、「Ｂ0B」の端子に得られるものとなる。そして、上記のように接続された反転素子５３によると、この場合は上記「Ｂ0B」の端子に得られた「＋Δ／２」の検出電圧が反転されて、「−Δ／２」が出力されるようになる。
つまり、このような反転動作が行われることにより、第２情報ＳＢとしてのビットの値が「０」であった場合には、マイナス極性の信号のみが得られるようになる。これとは逆に、第２情報ＳＢとしてのビットの値が「１」であった場合には、プラス極性に対応した信号のみが得られるものとなる。
【００９１】
そして、このようにしてそれぞれ得られた信号は、図示する加算回路５４−0〜５４−47によってそれぞれ加算され、このように加算された各信号は、それぞれ対応するディジタル積算回路５５（0〜47）に入力される。
【００９２】
ディジタル積算回路５５−0〜５５−47は、それぞれ対応する加算回路５４より供給された加算信号（Ｖ０〜Ｖ４７）を積分する。
この場合、各ディジタル積算回路５５では、上記のようにして反転動作が行われた信号について積分を行うものとなる。つまり、例えば記録されたビットの論理が「０」であった場合には、各積算回路５５において、加算回路５４の加算結果としての「―Δ」の信号が積算される。これによって、記録されたビットの論理が「０」であった場合は、ディジタル積算回路５５にて、負の値が得られるようになる。
また、これとは逆に、ビットの論理が例えば「１」であった場合には、加算回路５４の加算結果としての「Δ」の信号が積算されることで、相対的に正の値が得られるものとなる。
【００９３】
なお、本実施の形態では、記録・再生課程で混入したノイズ成分は、上記のようなディジタル積算回路５５における積分動作の結果、平均化されて比較的小さな振幅となることが期待されるものである。
【００９４】
各判定回路５６（0〜47）は、上記各ディジタル積算回路５５において積算された回数をカウントし、積算された回数が予め定めた所定数を超えた時点で、対応するディジタル積算回路５５の出力として得られる積算出力（Ｓ０〜Ｓ４７）の極性を判定する。即ち、ディジタル積算回路５５の出力が正極性であった場合には、各判定回路５６は、論理「１」を出力し、負極性であった場合には論理「０」を出力するものである。
そして、このように各判定回路５６より出力されたディジタルデータ（Ｂ０〜Ｂ４７）は、パラレル・シリアル（ＰＳ）変換回路５７に供給され、第２情報ＳＢとして出力されるようになる。
【００９５】
ここで、本実施の形態の場合、上記各判定回路５６において設定される積算回数についての所定値としては、所定値ｎ＞６４となるように設定している。つまり、上記のようなディジタル積算回路５５積算動作が、例えば同一のフレーム番号情報ＦＮを持つ再生信号が少なくとも６４回入力されるまで繰り返し行われるものである。
先にも説明したように、本例においては、第２情報ＳＢは６フレーム分（図４において示した１ブロック）の区間で完結するように記録されている。このことから、上記のように所定値ｎが設定された場合は、少なくとも６４ブロック分のプッシュプル信号ＰＰが入力されるまで積分動作が繰り返し行われるものとなる。
このようにして各ディジタル積算回路５５により少なくとも６４ブロック分の区間にわたって積算が行われる結果、本実施の形態の光ディスク再生装置３０では、ノイズの影響を除去して５ｎｍ以下のピット壁位置変位で記録された第２情報ＳＢを確実に判定することが可能となっている。
【００９６】
ここで、従来においては、ウォブル量Δとして、少なくとも２０ｎｍ以上の変位が必要であった。これに対して本実施の形態では、上記もしたようにピットの片側壁面の変位量Δとして、５ｎｍ以下が設定可能となる。
但し、このような微少な変位量によると、プッシュプル信号ＰＰの信号対雑音比（ＳＮＲ）が、従来と比較して相当に低下してしまうことが懸念される。
しかしながらこの際、ノイズがランダムに発生すると考えると、ＳＮＲの値は積算回数の平方根に比例して向上していくものとなる。そこで、本実施の形態の光ディスク再生装置３０では、上記のようにディジタル積算回路５５によって、少なくとも６４回以上の積算を行うように構成し、従来よりも小さいプッシュプル信号しか得られないディスクを、従来と同等以上のＳＮＲで確実に検出することが可能となるようにしているものである。
【００９７】
また、本実施の形態では、第２情報ＳＢが、先の図６〜図７にも示したように１ブロック内に割り振られて記録された上で、上述のように複数のブロックに記録される。つまり、これによっては、この第２情報ＳＢとしての同一の情報が、ディスク１００上の複数のブロックにまたがって記録されるものとなる。
この結果、このように記録された第２情報ＳＢを、該光ディスク再生装置３０により再生する際には、ディスク上の欠陥などにより特定のフレームがドロップアウトやビットスリップなどを起こして読み取り不能になった場合においても、この部分は若干のノイズレベルとして反映されるものの、第２情報ＳＢ（著作権保護情報）を正しく再生することが可能となる。
つまり、このような本実施の形態によっては、ディスク１００上の記録信号中に存在するディフェクトやピット欠落の影響を受けることなく、安定かつ確実に上記第２情報ＳＢの読み取りを行うことが可能となるものである。
【００９８】
以上のようにして本実施の形態では、ディスク１００再生時において、ウォブルとして記録される第２情報ＳＢが、複数回繰り返して積分されることにより、ディスク１００上のウォブル変位量を５ｎｍ以下に抑えることが可能とされる。
また、上述もしたようにこのような第２情報ＳＢは、ディスク１００上に対して、複数のブロックに対して繰り返し記録される。また、このような第２情報ＳＢの再生時においては、上記のように繰り返し記録された同一の情報を複数回読み取ってこれを積分するようにされている。そして、これにより、例えばフレームの先頭においてディフェクトやピットの欠落あった場合にも、著作権保護情報としての上記第２情報ＳＢを確実に再生できるようになる。
つまり、本実施の形態によっては、従来と同等の微少なピット壁位置変位量による第２情報ＳＢの記録を実現しつつ、例えばフレームの先頭部分にディフェクトやピットの欠落がある場合にも、より確実にこの第２情報ＳＢを再生することが可能となるものである。
【００９９】
上記のようにして微少なピット壁位置変位により記録される第２情報ＳＢは、記録信号に何ら変化を与えないものとなることから、第１情報ＳＡはそのままコピー可能となる。換言すれば、この場合、暗号化された第１情報ＳＡのコピーは可能であっても、これを解除するために重畳記録される上記第２情報ＳＢを解析してコピーすることは困難となる。
このため、不正にコピーされたディスクは、このように第２情報ＳＢがコピーされないことにより光ディスク再生装置３０においては再生不能となり、これにより正規ディスクのみが流通するようになって、著作権の保護をより強固にすることができるようになるものである。
【０１００】
また、上記のようにして微少なピット壁位置変位により記録される第２情報ＳＢは、例えば電子顕微鏡等による不正な読み取りも困難となるので、この点でもディスクの不正コピーの防止が図られる。
【０１０１】
また、上述もしたように本例のマスタリング装置１によっては、第２情報ＳＢとしての信号を、第２レーザ８によるレーザ光Ｌ２の照射によるピット列の片側壁面変位により記録するものとしたから、このような第２情報ＳＢの記録にあたり、従来のように光偏向器（電気音響光学素子）を光路中に挿入する必要がなくなる。
このように、電気音響光学素子を記録光学系に挿入する必要がなくなることで、ディスク原盤１５を高速回転させながら露光を行うことが可能となり、これによってディスク原盤１５の製造効率の向上を図ることができる。
【０１０２】
なお、上記実施の形態では、本発明をＲＬＬ（１−７）ＰＰ変調信号方式に対応させる場合を例に上げたが、本発明としてはこれに限らず、例えばＥＦＭ変調やＲＬＬ（８−１６）変調，ＲＬＬ（２−７）変調など、ほぼ全ての変調方式に対応して適用することができる。
また、上記実施の形態において説明した第２情報ＳＢとしての各ビットの各フレームに対する割り振りの仕方はあくまでも一例であり、勿論これに限定されるものではない。
【０１０３】
また、上記実施の形態においては、第２情報ＳＢの各ビットを、非反転アンプ２７Ａと反転アンプ２７Ｂにより正極性と負極性の信号に交互に割り振った。しかし、例えば疑似乱数数列などを用いてこのような正極性と負極性の割り振りを行うように構成することも可能である。これによっては第２情報ＳＢの記録信号がさらに複雑になり、海賊版の作成をより困難にすることができる。
【図面の簡単な説明】
【０１０４】
【図１】本発明における実施の形態としてのマスタリング装置の内部構成例を示すブロック図である。
【図２】実施の形態における２つのレーザ光スポット位置と、これにより形成されるピット列の様子を模式的に示す図である。
【図３】実施の形態のマスタリング装置内部に備えられる、付加変調回路７の内部構成例を示すブロック図である。
【図４】ＲＬＬ（１−７）ＰＰ変調方式による変調信号の構造を模式的に示す図である。
【図５】上記変調信号内に挿入される同期パターンの構成例を示す図である。
【図６】図１に示されるアナログスイッチ２８による選択を指定するための、セレクト信号ＳＬＣＴの値の遷移を説明するための図である。
【図７】同じく、図１に示されるアナログスイッチ２８による選択を指定するための、セレクト信号ＳＬＣＴの値の遷移を説明するための図である。
【図８】図１に示される参照テーブル２４内に格納される参照情報２４ａの構造を示すデータ構造図である。
【図９】ピット壁変位信号ＳＢＷに基づいて第２情報ＳＢが記録される際の動作を模式的に示す図である。
【図１０】本発明における実施の形態としてのディスク再生装置の内部構成例を示すブロック図である。
【図１１】実施の形態としてのディスク再生装置内に備えられる、第２復号回路４１の内部構成例を示すブロック図である。
【符号の説明】
【０１０５】
１  マスタリング装置、２  第１信号源、３  暗号化回路、４  ＥＣＣ回路、５  １−７ＰＰ変調回路、６  第２信号源、７  付加変調回路、８  第２レーザ、９  第１レーザ、１０  電気音響変調素子（ＡＯＭ）、１１  ミラー、１２  対物レンズ、１３  スピンドルサーボ回路、１４  スピンドルモータ、１５  ディスク原盤、１６  ハーフミラー、２０  同期パターン検出回路、２１  ラッチ（ｌａｔｃｈ）、２２  第１カウンタ、２３  第２カウンタ、２４  参照テーブル、２４ａ  参照情報、２５  ＣＲＣ付加回路、２６  シリアル・パラレル変換回路、２７Ａ（0−47）  非反転アンプ、２７Ｂ（0−47）  反転アンプ、２８  アナログスイッチ、３０  光ディスク再生装置、３１  スピンドルモータ、３２  光ピックアップ、３３  マトリクスアンプ、３４  ２値化回路、３５  １−７ＰＰ復号回路、３６  ＥＣＣ回路、３７  暗号化解除回路、３８  ＰＬＬ回路、３９  サーボ回路、４０  バンドパスフィルタ、４１  第２復号回路、４２  ＣＲＣ検査回路、５１  ＡＤコンバータ、５２  アナログスイッチ、５３（0−47）  反転素子、５４（0−47）  加算回路、５５（0−47）  積算回路、５６（0−47）  判定回路、５７  パラレル・シリアル変換回路、５８  同期パターン検出回路、５９  ラッチ、６０  第１カウンタ、６１  第２カウンタ、６２  参照テーブル
【図１】
2005174465.tif 000003
【図２】
2005174465.tif 000004
【図３】
2005174465.tif 000005
【図４】
2005174465.tif 000006
【図５】
2005174465.tif 000007
【図６】
2005174465.tif 000008
【図７】
2005174465.tif 000009
【図８】
2005174465.tif 000010
【図９】
2005174465.tif 000011
【図１０】
2005174465.tif 000012
【図１１】
2005174465.tif 000013